(57)【要約】【課題】  ルーズリーフ紙等の取り付けや取り外しが簡単に行えるとともに、ルーズリーフ紙等をファイル本体に取り付けた後の見開き状態において、ルーズリーフ紙等を無理にファイル本体に押し付けるようなことなく、ページ捲りをスムーズに行うことができるフォルダーファイルを提供する。【解決手段】紙又は合成樹脂から形成されるシートを加工して、ファイル本体２と上記ファイル本体２の一方側２Ａに配されて用紙類等に備わったファイル用の穴Ｒ１を挿通させる係止帯体３と、ファイル本体２の他方側２Ｂに配されて上記係止帯体３をファイル本体２の内側から外側に挿通させる係止孔４と、係止孔４の近傍に立設して上記係止帯体３と接触する衝立部５とを形成し、上記係止帯体３を用紙類やポケット類Ｒのファイル用の穴Ｒ１に挿通させた後、衝立部５に接触させた状態にしながら上記係止孔４に内側から外側に挿通させて、上記係止帯体３が移動可能な状態におかれている。【選択図】  図５
2007152941.tif 000002
【特許請求の範囲】
【請求項１】
ファイル用の穴が形成された用紙類やシート類等を取り外したり取り付けたりするフォルダーファイルであって、
ファイル本体に、上記ファイル用の穴に挿通させる係止帯体と、係止帯体を挿通させる係止孔と、係止孔の近傍に立設して上記係止帯体と接触する衝立部とを形成し、上記係止帯体を上記ファイル用の穴に挿通させた後上記係止孔に挿通させて、上記係止帯体が衝立部に接触させた状態としながら移動可能な状態におかれていることを特徴とするフォルダーファイル。
【請求項２】
一枚の紙製又は合成樹脂製の素材をファイル本体として少なくとも二つ折りにして一方側と他方側とするか、又は、少なくとも二枚の紙製又は合成樹脂製の素材を使用して一方側と他方側とし、このファイル本体を左右に開いた状態で使用したり、又は、この逆に折畳んだ状態で使用するものであり、このファイル本体の一方側に前記係止帯体を形成し、このファイル本体の他方側に前記係止孔と係止帯体の近傍に配される衝立部とを形成していることを特徴とする請求項１記載のフォルダーファイル。
【請求項３】
一枚の紙製又は合成樹脂製の素材をファイル本体として少なくとも二つ折りにして一方側と他方側とするか、又は、少なくとも二枚の紙製又は合成樹脂製の素材を使用して一方側と他方側とし、このファイル本体を左右に開いた状態で使用したり、又は、この逆に折畳んだ状態で使用するものであり、このファイル本体の一方側に前記係止帯体が打ち抜き加工により形成され、このファイル本体の他方側に前記衝立部が打ち抜き加工により形成されていることを特徴とする請求項１記載のフォルダーファイル。
【請求項４】
前記ファイル本体を外側から覆うカバーを当該本体に取り付け、前記係止孔に挿通された係止帯体をファイル本体とカバーとの間に移動可能に挟み込ませていることを特徴とする請求項１から３いずれか１記載のフォルダーファイル。
【請求項５】
前記ファイル本体と前記カバーとを連接して一体形成することを特徴とする請求項４記載のフォルダーファイル。
【請求項６】
前記ファイル本体の他方側に、前記衝立部を挿通させる挿通孔が形成され、前記衝立部を一旦ファイル本体の外側に折り曲げてから上記挿通孔からファイル本体の内側に突出させることを特徴とする請求項１から５いずれか１項記載のフォルダーファイル。
【請求項７】
前記衝立部の先端部を折り曲げて爪部を形成することを特徴とする請求項１から６いずれか１項記載のフォルダーファイル。
【発明の詳細な説明】
【技術分野】
【０００１】
本発明は、ファイル用の穴が形成された用紙類やシート類等を取り外したり取り付けたりするフォルダーファイルに関する。
【背景技術】
【０００２】
現在、市販されているフォルダーファイル（書類フォルダー）は、一辺にファイル用の穴が形成された用紙類やシート類等を挟んで保持するための係止部材が備わっており、その係止部材としては、開閉可能な係止リングをフォルダーファイル中央部に備えるものや、合成樹脂製の係止帯体とこの係止帯体を固定するための穴の開いた固定金具を紙製のファイル本体に備えたもの等が、広く普及している。いわゆるシステム手帳やシステムノートとしては、前者の係止リングが備えられ、ルーズリーフ紙等の一辺にファイル用の穴が形成された用紙類やシート類等を綴じたり取り外したりして使用されている。
【０００３】
上記従来のフォルダーファイルは、複数の材料を加工した部品から構成されるため、それぞれの材料の加工や部品の組み立てに時間を要したり、使用後にフォルダーファイルをリサイクルする際には、それぞれの材料毎に分解して分別しなければならないという問題がある。そこで、1枚の紙を打ち抜き加工してルーズリーフ紙等の用紙を固定する係止帯体を形成した携帯ファイルが特許文献１等に開示されている。この特許文献１記載のフォルダーファイルは、図７に示すように、矩形状の紙を本体として二つ折りにし、二つ折りにした本体の一方側を打ち抜き加工して係止頭部４を有する綴り保持用の細帯部５を形成し、二つ折りにした本体の他方側を打ち抜き加工して細帯部５を係止する起立舌片部３を形成している。ルーズリーフ紙等を保持する際は、これらの紙面端部の穴に上記細帯部５を通し、この細帯部５の係止頭部４を上記起立舌片部３の係止スリット２に通して係止する。この特許文献１によれば、一枚の矩形状の紙のみから細帯部５等を形成するため、上記従来のフォルダーファイルのように係止部材を別個に製造しなくても済む。
【特許文献１】特開２００２−１５４２９０号公報
【発明の開示】
【発明が解決しようとする課題】
【０００４】
しかしながら、上記特許文献１記載のフォルダーファイルは、ルーズリーフ紙等を取り外したり補充したりする場合には、細帯部５の係止頭部４を係止スリット２の前後にずらす等しながら係止スリット２の口を開いて引き抜かなければならないという煩雑な作業が必要であり、又、この作業を繰り返すと、上記係止スリット２等が劣化してしまうおそれを有する。そして、係止スリット２と細帯部５の係止頭部４との係止位置は定まっているため、ルーズリーフ紙等が少ないと弛みが生じ、他方、多いと窮屈になってしまうという不都合がある。また、ルーズリーフ紙等が少ないと弛みによって生じる細帯部５の長さの余りが、ルーズリーフ紙等のページ捲りを妨げたり、ファイルの薄型化の妨げになったりする。
【０００５】
また、上記特許文献１では、ルーズリーフ紙等を保持したまま、これを見開き状態にしようとすると、上記他方のページに形成された起立舌片部３が、そのまま起立した状態でルーズリーフ紙等に接触し、ルーズリーフ紙等が本体から浮き上がるようになり、ルーズリーフ紙等に記入する際の邪魔になる。他方、上記起立舌片部３が寝かされた状態では、上記細帯部５がルーズリーフ紙等を圧迫し（無理に押し付けるようになり）、ルーズリーフ紙等を捲り難くなる問題がある。更に、細帯部５の係止頭部４は、係止スリット２に挿通された後は、二つ折りファイルの一方側の表面側に突出させるために、この突出した細帯部５の係止頭部４がファイルの薄型化の邪魔になったり、ルーズリーフ紙等に記入する邪魔になったりするという問題を有する。
【０００６】
そこで、本発明の目的は、ルーズリーフ紙等の取り付けや取り外しが簡単に行えるとともに、ルーズリーフ紙等をファイル本体に取り付けた後の見開き状態において、ルーズリーフ紙等を無理にファイル本体に押し付けるようなことなく、ページ捲りをスムーズに行うことができるフォルダーファイルを提供することにある。
【課題を解決するための手段】
【０００７】
本発明のフォルダーファイルは、ファイル用の穴が形成された用紙類やシート類等を取り外したり取り付けたりするフォルダーファイルであって、ファイル本体に、上記ファイル用の穴に挿通させる係止帯体と、係止帯体を挿通させる係止孔と、係止孔の近傍に立設して上記係止帯体と接触する衝立部とを形成し、上記係止帯体を上記ファイル用の穴に挿通させた後上記係止孔に挿通させて、上記係止帯体が衝立部に接触させた状態としながら移動可能な状態におかれていることを特徴とする
【０００８】
この発明によれば、上記係止帯体を用紙類やシート類等のファイル用の穴に挿通させた後、衝立部に接触させた状態にしながら上記係止孔に内側から外側に挿通させて、上記係止帯体が移動可能な状態におかれていることから、ルーズリーフ紙等の枚数が多くなってもそれに応じて係止帯体の長さを適宜調整でき、係止帯体の長さが余るようなことがない。また、上記衝立部によって係止帯体が浮き上がるようにするので（係止帯体とファイル本体間に間隙が形成されるので）、スムーズなページ捲りができる。なお、上記係止帯体を衝立部に接触させた状態において上記係止孔に挿通させていることにより、衝立部が適度な弾性力を持って上記係止帯体の大幅な移動を阻止することとなる。一方、ルーズリーフ紙等を取り外すときは、係止帯体を指で掴む等して係止帯体を係止孔から引き抜くことにより、ルーズリーフ紙等をそのまま取り外すことができる。なお、取り外そうとするルーズリーフ紙等以外を上から押さえ、ルーズリーフ紙等を上方に引き抜くようにすると、係止帯体が係止孔から抜け、取り外そうとするルーズリーフ紙等のみを係止帯体から開放することができる。
【０００９】
本発明の請求項２記載のフォルダーファイルは、一枚の紙製又は合成樹脂製の素材をファイル本体として少なくとも二つ折りにして一方側と他方側とするか、又は、少なくとも二枚の紙製又は合成樹脂製の素材を使用して一方側と他方側とし、このファイル本体を左右に開いた状態で使用したり、又は、この逆に折畳んだ状態で使用するものであり、このファイル本体の一方側に前記係止帯体を形成し、このファイル本体の他方側に前記係止孔と係止帯体の近傍に配される衝立部とを形成していることを特徴とする。
【００１０】
本発明によれば、上記係止帯体を用紙類やシート類等のファイル用の穴に挿通させた後、衝立部に接触させた状態にしながら上記係止孔に内側から外側に挿通させて、上記係止帯体が移動可能な状態におかれていることから、左右の開いた状態にしたり、又は、この逆の折畳んだ状態にするときにも、それに応じて係止帯体の長さを適宜調整でき、係止帯体の長さが余るようなことがない。また、上記衝立部によって係止帯体を浮き上がるようにするので（係止帯体とファイル本体間に間隙が形成されるので）、上記使用状態に応じてページ捲りが行われ、用紙類やシート類等や上記係止帯体が損傷するようなことがない。
【００１１】
本発明の請求項３記載のフォルダーファイルは、一枚の紙製又は合成樹脂製の素材をファイル本体として少なくとも二つ折りにして一方側と他方側とするか、又は、少なくとも二枚の紙製又は合成樹脂製の素材を使用して一方側と他方側とし、このファイル本体を左右に開いた状態で使用したり、又は、この逆に折畳んだ状態で使用するものであり、このファイル本体の一方側に前記係止帯体が打ち抜き加工により形成され、このファイル本体の他方側に前記衝立部が打ち抜き加工により形成されていることを特徴とする。
【００１２】
この発明によれば、前記請求項２の作用・効果の他、前記ファイル本体の一方側に、前記係止帯体が打ち抜き加工により一体形成され、本体の他方側に、前記衝立部が打ち抜き加工により一体形成されていることから、一枚のシートだけでも、係止帯体を有するフォルダーファイルを容易に製造することができる。
【００１３】
本発明のフォルダーファイルは、前記ファイル本体を外側から覆うカバーを当該本体に取り付け、前記係止孔に挿通された係止帯体をファイル本体とカバーとの間に移動可能に挟み込ませていることが好ましい。そして、前記ファイル本体と前記カバーとを連接して一体形成することが好ましい。
【００１４】
この発明によれば、上記係止孔に通された係止帯体を本体とカバーにより挟み込むため、係止帯体を引き抜く方向に力が加わっても、係止帯体と本体及びカバー間に十分な摩擦力が働き、係止帯体が係止孔から抜け難くなる。逆に、ルーズリーフ紙等を取り外したり、補充したりする際は、カバーを本体から外してから、係止帯体を係止孔から引き抜くようにしても、係止帯体の解除をすることができる。また、ファイルを外すときは、係止帯体を指で掴む等して係止帯体を係止孔からそのまま引き抜くだけでも良い。さらには、前記ファイル本体と前記カバーとを連接して一体形成することで、カバーがファイル本体から外れる心配がない他、一枚の紙製又は合成樹脂製の素材から製造することが可能になる。
【００１５】
本発明のフォルダーファイルは、前記ファイル本体の他方側に、前記衝立部を挿通させる挿通孔が形成され、前記衝立部を一旦ファイル本体の外側に折り曲げてから上記挿通孔からファイル本体の内側に突出させることが好ましい。また、前記衝立部の先端部を折り曲げて爪部を形成することが好ましい。
【００１６】
この発明によれば、前記衝立部を一旦外側に折り曲げるようしてから上記挿通孔から突出させていることから、衝立部の立設姿勢を寝かせた姿勢にしなくなるとともに、上記係止帯体が前記衝立部を押さえ付けるようになっても、これに対して弾性力を持って反発するような力を発揮させることとなる。また、前記衝立部の先端部を折り曲げて爪部を形成するため、挿通孔に通された衝立部は、上記爪部により挿通孔から抜け出る事態を防止する。そして、上記係止帯体が係止孔に通された際、衝立部の爪部が係止帯体を下方から支持するため、本体を見開き状態にした際でも、本体と係止帯体の間の間隙を常に形成する働きをする。
【発明の効果】
【００１７】
本発明に係るフォルダーファイルによれば、見開き状態にした際でも、衝立部によって係止帯体と本体の間に間隙が形成されるため、従来例のようにルーズリーフ紙等を無理に押さえ付けることがなく、ルーズリーフ紙等の枚数が多くなってもそれに従って調整することができるとともに、上記間隙によりルーズリーフ紙等が押さえ込まれるようなことがなく、ページ捲りをスムーズに行うことが可能である。また、ルーズリーフ紙等を取り付ける場合や取り外す場合は、上記係止帯体を指で掴む等して、上記係止孔に係止帯体を挿通させたり、引き抜くようにすれば足りるので、取り付けも取り外しも極めて簡単で、ルーズリーフ紙等の取り外しや補充が容易に行うことが可能になる。そして、紙製又は合成樹脂製の素材だけで、係止帯体を有するフォルダーファイルを製造することが可能であり、また、カバーとの組み合わせにより、係止帯体が外側に露出させない構造にでき、又、紙製又は合成樹脂製の素材を内抜き加工により係止帯体や衝立部を形成しても、打ち抜き箇所を外側にしない構造にすることができる。
【発明を実施するための最良の形態】
【００１８】
以下、本発明の実施の形態を、図面を引用しながら説明する。
【００１９】
（第１の実施の形態）
本実施の形態のフォルダーファイルは、図１から図６に示すように、胸のポケットに入れられる様な小型で薄型のシステムノートやシステム手帳として使用されるものであり、合成樹脂製のシートをファイル本体２として二つ折りにしたフォルダーファイル１である。このフォルダーファイル１には、二つ折にした本体２の一方側２Ａに係止帯体３が形成され、二つ折りにした本体２の他方側２Ｂに係止帯体３を通すための係止孔４が形成されるとともに、係止帯体３を下方側から支持する衝立部５が設けられている。綴られる用紙類やシート類等は、その側端部にファイル用の穴を有する所定サイズのルーズリーフ紙Ｒである。
【００２０】
本実施の形態の本体２であるシートとしては、いわゆるクリアファイル等に使用されているポリプロピレンや、ポリエチレンテレフタレートや、ペットボトルを再生したプラスチックや、昨今の生分解性のプラスチック等の素材が使用可能である。また、厚紙や合成樹脂を原料として製造された合成紙や合成樹脂や塗料等にてコーティングされたコーティング紙等が使用可能である。
【００２１】
ファイル本体２は、その中央で二つ折りにして使用されるが、少なくとも二つ折りであれば、それ以上折り返して使用されるものにも適用可能である。また、例えば、上記のような合成樹脂製のシートを重ね合わせたものを２組用意し、一方の組の一枚に係止帯体３を打ち抜き加工により形成してから、打ち抜いた部分を隠すように他の一枚を重ね合わせるようにして、２枚一組で使用することも可能である。この場合は、打ち抜き部分が隠れるようになる。
【００２２】
ファイル本体２の一方側２Ａには、ルーズリーフ紙Ｒを保持するための係止帯体３が帯状に形成される。この係止帯体３は、本体２の折り目Ｔから最も近い根元だけを残すように上記一方側２Ａを打ち抜き加工したもので、その幅はルーズリーフＲ等の側端部のファイル用の穴Ｒ１の径に通し得るように設定されている（図６）。係止帯体３は、平行に複数本形成されるとともに、ルーズリーフ紙Ｒの枚数をできるだけ多く保持するとともに、係止帯体３が簡単に抜けてしまわないように、本体２の一方側２Ａの幅全域に及ぶような長さに形成されている。このように係止帯体３を長く設定すると、以下に説明するカバー７を本体２に取り付けたとき、係止帯体３には本体２とカバー７との間に摩擦力が生じて、係止帯体３を更に抜けにくくすることができる。なお、図１中の符号３ｃは、合成樹脂製のシートを打ち抜き加工した痕跡であり、合成樹脂製のシートを貫通している。
【００２３】
本体２の他方側２Ｂには、上記係止帯体３を通す係止孔４が形成されている。この係止孔４は、上記係止帯体３を根元から折り目Ｔに向かって折り返した際、この係止帯体３と重なる範囲で、他方側２Ｂを切抜いて長方形状に形成される。すなわち、係止帯体３の長手方向の長さＤ１の方が、係止帯体３の根元から上記係止孔４までの距離Ｄ２よりも長くなるように係止孔４を形成する（図２）。また、この長方形状である係止孔４の寸法に関して、長手方向の寸法については、係止帯体３を受け入れられるように、係止帯体３の幅以上であればよく、長手方向と直交する方向の寸法については、係止帯体３の厚さ以上であればよい。
【００２４】
上記係止帯体３と係止孔４との間には、係止帯体３を下方から支持するための衝立部５と、衝立部５を通し突出させるための挿通孔６が形成されている。衝立部５は、係止帯体３と係止孔４との間に、本体２の一方側２Ａから他方側２Ｂにかけて打ち抜き加工して形成される。この衝立部５は、本体２の他方側２Ｂの根元から係止孔４に向かって折り返される。つまり、衝立部５は、一旦外側に折り曲げるようしてから上記挿通孔６から内側に突出されることにより、衝立部５の立ち上がりを確保すると共に（図３）、係止帯体３との接触状態において、係止帯体３を弾性力を持って支持する（図４（ａ））。挿通孔６は、衝立部５を本体２の外側から内側に向かって通すものであり、衝立部５の根元と係止孔４との間に長方形状に形成される。この挿通孔６は、係止孔４と平行となるように形成される。挿通孔６に通された衝立部５の先端部は、更に、係止孔４に向かって折り返され、爪部５ａをくの字状に形成している（図４（ａ））。このように、衝立部５の先端部を折り返し、爪部５ａを形成することで、衝立部５が挿通孔６から抜け出てしまう事態を防ぎ、常に係止帯体３を下方から支持することとなる。すなわち、本体２を折り畳むときなどにおいて（図６参照）、衝立部５が係止帯体３により押し込まれるようになっても、上記爪部５ａが衝立部５が寝るような姿勢を妨げるとともに、弾性力を持って係止帯体３を下方から支持する（図４（ｂ））。また、衝立部５は、フォルダーファイル１を折り畳むと、ルーズリーフ紙Ｒのファイル用の穴Ｒ１に入り込むようになっている（図６）。なお、図１中の符号５ｃは、合成樹脂製のシートを打ち抜き加工した痕跡であり、合成樹脂製のシートを貫通している。
【００２５】
フォルダーファイル１の本体２の外側には、カバー７が配されている（図５）。このカバー７は、フォルダーファイル１と同じ合成樹脂製のもので、その寸法はフォルダーファイル１よりわずかに大きい。カバー７の左右側端部には、フォルダーファイル１の両側端部を収納するためのポケット７ａ，７ａが設けられている。このポケット７ａ，７ａにフォルダーファイル１の本体２の両側端部を挿入することで、本体２のカバー７は一体的に使用可能となる。なお、このカバー７は、本発明の成立に必須のものではなく、例えば市販のブックカバーと本発明のフォルダーファイル１の本体２とを組み合わせても良い。
【００２６】
したがって、本実施の形態であるフォルダーファイル１は、上記カバー７のポケット７ａ，７ａにフォルダーファイル１の本体２の両側端部を挿入した状態にするか、市販のブックカバーと重ね合わせるようにした後、上記係止帯体３をルーズリーフ紙Ｒのファイル用の穴Ｒ１に通し、この係止帯体３を係止孔４に本体２の内側から外側に向かって通す。すなわち、上記係止孔４に通された係止帯体３を本体２とカバー７等との間に移動可能に挟み込ませる。上記係止孔４に挿通させるとき、衝立部５が突出しているので、係止帯体３は衝立部５の上方側に接触させた状態になるとともに、上記係止帯体３が移動可能な状態におかれる。ただし、上記衝立部５が適度な弾性力を持って上記係止帯体３の大幅な移動を阻止することとなる。また、衝立部５は、ルーズリーフ紙Ｒを捲る際等においても、その先端側の爪部５ａによって挿通孔６から抜け出るようなことはない（図４（ａ）（ｂ））。係止帯体３は、係止孔４に通された係止帯体３を本体２とカバー７により挟み込むため、容易には引き抜かれることはないが、常に移動可能な状態におかれている。そして、係止帯体３が移動可能な状態におかれていることから、ルーズリーフ紙Ｒの枚数が多くなってもそれに応じて上記係止帯体３の長さを引き出すようにすることで何枚でもファイルすることができ、しかも、係止帯体３の長さを余らせるようなことなく、その枚数に応じて少しずつ移動可能な状態で確実に保持することとなる。一方、ルーズリーフ紙Ｒをファイルから外すときは、係止帯体３を指で掴む等して係止帯体３を係止孔４からそのまま引き抜くだけで良い。なお、ルーズリーフ紙Ｒを直接係止帯体３の先端方向と同じ方向に引き抜くようにしてもファイルから外すことが可能である。
【００２７】
ここで、ルーズリーフ紙Ｒを補充するときは、そのファイル用の穴Ｒ１を上記衝立部５に合わせるようにすると、差込みが容易になり、上記衝立部５はその目印としての役割も果たす。また、上記衝立部５は、係止帯体３を下方側から支持するために（つまり、係止帯体３を下方側から支持する支点としての役割を果たす）、係止帯体３の係止穴４への入り込み過ぎを防止すると共に、係止帯体３の差込みの目安ともなる。また、ルーズリーフ紙Ｒを取り外したり、補充したりするときは、カバー７を本体２から外してから、係止帯体３を係止孔４から引き抜くようにすることで係止帯体３の解除を行うことも可能である。なお、上記衝立部５がないと仮定すると、ルーズリーフ紙Ｒを押さえ込んでしまい、ページ捲りがスムーズに行われなくなる。
【００２８】
次に、綴られたルーズリーフ紙Ｒをページ捲りするときは、係止帯体３が移動可能な状態におかれていることから、ファイル本体２を左右の見開き状態にした際でも、衝立部５によって係止帯体３と本体２との間に間隙Ｓが形成されるものであり（図４）、つまり衝立部５により係止帯体３を浮き上がるようにするので、スムーズなページ捲りが行えることとなる。他方、ファイル本体２を折り畳むときは（一方側２Ａと他方側２Ｂとを重ね合わせるときは）、移動可能な係止帯体３が本体２とカバー７との間に入り込むようになり（このときでも衝立部５との接触状態を維持している）、係止帯体３の長さを余らせることもないので、余分な係止帯体３が存在せず薄型化を実現できる。
【００２９】
次に、本実施の形態のフォルダーファイル１を折り畳むと、図６に示すように、衝立部５がルーズリーフ紙Ｒのファイル用の穴Ｒ１に入り込むようになっているので、衝立部５の存在は、携帯ファイル１を折り畳むときの妨げになったり、小型・薄型化の妨げにはならない。そして、フォルダーファイル１を折り畳むときは、係止帯体３が折り畳み動作に合わせて係止孔４に徐々に入って行くため、係止帯体３が余るようなことなく常に適度な長さの露出状態になり、また、係止帯体３の存在は、携帯ファイル１を折り畳むときの妨げになったり、小型・薄型化の妨げにはならない。
【００３０】
（第２の実施の形態）
本実施の形態は、図８から図１２に示すように、上記ファイル本体の一方側２Ａと他方側２Ｂと上記カバー７Ａ，７Ｂとを連接して一体成形した紙製のフォルダーファイル１１である。すなわち、一枚の紙製シートからカバーを有するフォルダーファイルを製造するものであり、ファイル本体２の一方側２Ａと他方側２Ｂを両端側として、これらの中央ににカバー７Ａ，７Ｂが連接して配置されている。上記一方側２Ａとカバー７Ａは、折り目Ｔ４により折り返され、又、カバー７Ｂと他方側２Ｂは、折り目Ｔ２により折り返されるが（図９）、カバー７Ａとカバー７Ｂとの境の折り目Ｔ３は、フォルダーファイル１１を左右の見開いた状態で使用したり、又は、この逆に折畳んだ状態で使用するときの折り目となる。そして、用紙類やシート類等のファイル用の穴に挿通される係止帯体３は、ファイル本体２の一方側２Ａに形成されている。
【００３１】
ファイル本体２の左右両側（ファイル本体２の一方側２Ａと他方側２Ｂと上記カバー７Ａ，７Ｂの左右両側）には、第１の糊代部２ｆａ，７ｆａ，７ｆｂ，２ｆｂと、第２の糊代部２ｅａ，７ｅａ，７ｅｂ，２ｅｂが形成されている。また、ファイル本体２の他方側２Ｂには、第３の糊代部５ｅａ，５ｅｂ，５ｅｃ，５ｅｄが形成されている。第３の糊代部５ｅａ，５ｅｂ，５ｅｃ，５ｅｄは、カバー７Ｂとの重ね合わせの他に、係止帯体３を下方から支持するための衝立部５を形成している。すなわち、第３の糊代部５ｅａ，５ｅｂ，５ｅｃ，５ｅｄの各片の間にスリット５ｓが各々形成され、これらのスリット５ｓの間の各片を利用して、これを下方にずらして二重（Ｕ字状）にするようにして衝立部５を形成している（図９）。なお、上記２個のスリット５ｓは、上記係止帯体３が丁度入り込むガイドとしての役割を果たす（図１０）。なお、スリット５ｓは、隣り合う糊代部５ｅａ，５ｅｂ，５ｅｃ，５ｅｄの間であれば、例えば、糊代部５ｅｂと５ｅｃの間に形成してもよく、又、第１の実施の形態のように、開口部を形成して形成しても良い。
【００３２】
上記衝立部５の近傍には、この衝立部５を通し突出させるための挿通孔６と、係止帯体３を通すための係止孔４が形成されている。すなわち、ファイル本体２の他方側２Ｂの第３の糊代部５ｅａ，５ｅｂ，５ｅｃ，５ｅｄの折り目Ｔ１を境にして、第３の糊代部５ｅａ，５ｅｂ，５ｅｃ，５ｅｄに上記衝立部５が形成され、他方側２Ｂに、上記挿通孔６と係止孔４が形成されている。上記衝立部５は、一旦外側に折り曲げるようしてから上記挿通孔６から内側に突出されることにより、衝立部５の立ち上がりを確保すると共に、係止帯体３との接触状態において、弾性力を持って係止帯体３を支持する（図１１）。挿通孔６は、衝立部５を本体２の外側から内側に向かって通すものであり、衝立部５の根元と係止孔４との間に長方形状に形成される。また、この長方形状である挿通孔６の寸法に関して、長手方向の寸法については、衝立部５を受け入れられるように、衝立部５の幅と同じか若干広ければよく、長手方向と直交する方向の寸法については、衝立部５を折り返して挿入するため衝立部５の厚さの２倍か若干広ければよい。この挿通孔６は、係止孔４と平行となるように形成される。挿通孔６に通された衝立部５の先端部は、更に、挿通孔６に向かって折り返され、Ｕ字状の衝立部５を形成している（図１１）。このように、衝立部５の先端部を折り返し、Ｕ字状の衝立部５を形成することで、衝立部５が挿通孔６から抜け出てしまう事態を防ぎ、常に係止帯体３を下方から支持することとなる。すなわち、本体２を折り畳むときなどにおいて（図１２参照）、衝立部５が係止帯体３により押し込まれるようになっても、Ｕ字状に立設する衝立部５により、衝立部５自体が寝るような姿勢を妨げるとともに、弾性力を持って係止帯体３を下方から支持する（図１１）。衝立部５は、フォルダーファイル１を折り畳むと、ルーズリーフ紙Ｒのファイル用の穴Ｒ１に入り込むように工夫されている（図１２）。
【００３３】
ファイル本体２の他方側２Ｂの中央付近には、スリットＰが形成されており、スリットＰと前記第１の糊代部２ｆｂと７ｆｂ、２ｅｂと７ｅｂ、折り目Ｔ２にて形成されたポケットを利用して名刺やカード等をフォルダーファイル１１に挟むことができる（図１０）。また、このスリットＰから係止帯体３を内側から外側に取り出すようにすると、係止帯体３の移動の規制状態を強くすることも可能である。
【００３４】
本実施の形態のフォルダーファイル１１を組み立てる場合は、ファイル本体２の一方側２Ａを折り目Ｔ４にてカバー７の一方側７Ａに折り返し、本体２の他方側２Ｂを折り目Ｔ２にてカバー７の他方側７Ｂに折り返した後、重なり合った第１と第２の糊代部２ｆａと７ｆａ、２ｆｂと７ｆｂ、２ｅａと７ｅａ、２ｅｂと７ｅｂとを互いに密着するように、溶着、圧着や接着等する（図９）。また、第３の糊代部５ｅａ，５ｅｂ，５ｅｃ，５ｅｄをカバー７Ｂに重ね合わせる。この重ね合わせの際に、上記糊代部を密着させることで、二重構造で強度の高いフォルダーファイル１１となる。
【００３５】
ファイル本体２にルーズリーフ紙Ｒを取り付ける場合は、係止帯体３をルーズリーフ紙Ｒに備わった穴Ｒ１に通してから係止孔４に内側から外側に挿通させる。係止孔４に挿通させると、係止帯体３が上記２個のスリット５ｓにガイドされるようになって、ファイル本体２Ｂとカバー７Ｂとの間に移動可能に挟み込ませられる。このため、本実施の形態のフォルダーファイル１を折り畳むと（折り目Ｔ３に沿って折畳むと）、図１２に示すように、係止帯体３が折り畳み動作に合わせて係止孔４に徐々に入って行くため、係止帯体３が余るようなことなく常に適度な長さの露出状態になり、また、係止帯体３の存在は、フォルダーファイル１を折り畳むときの妨げになったり、小型・薄型化の妨げにはならない。また、本体２を左右の見開き状態にした際でも、衝立部５によって係止帯体３と本体２との間に間隙Ｓが形成されるものであり（図１１）、つまり衝立部５により係止帯体３を浮き上がるようにするので、スムーズなページ捲りが行えることとなる。一方、ルーズリーフ紙Ｒ等を取り外すときは、係止帯体３を指で掴む等して係止帯体３を係止孔４から引き抜くことにより、ルーズリーフ紙Ｒ等をそのまま取り外すことができる。なお、本実施の形態でも、ルーズリーフ紙Ｒを補充するときは、そのファイル用の穴Ｒ１を上記衝立部５に合わせるようにすると、差込みが容易になり、上記衝立部５はその目印としての役割も果たす。
【００３６】
以上、本発明は、上述した実施の形態に限定されるものではない。例えば、ここでは、胸のポケットに収納するようなシステム手帳のような小型で薄型のサイズのフォルダーファイル１，１１として説明したが、Ａ４サイズのルーズリーフやそれ以上のサイズの用紙類にも適応できることは勿論である。また、紙や合成樹脂製のシート以外にも、例えば、皮革製シートを加工してもフォルダーファイルとして応用可能である。このように、本発明は、その趣旨を逸脱しない範囲で適宜変更が可能であることは言うまでもない。
【図面の簡単な説明】
【００３７】
【図１】本発明の第１の実施の形態のフォルダーファイルを示す斜視図である。
【図２】上記第１の実施の形態の係止帯体と係止孔との位置関係を示す平面図である。
【図３】上記第１の実施の形態の衝立部の構造を示す断面図である。
【図４】上記第１の実施の形態の使用状態を示す断面図であり、（ａ）はルーズリーフ紙をページ捲りするときの状態であり、（ｂ）は係止帯体方向からの圧力が加わったときの衝立部と係止帯体との関連を示す図である。
【図５】上記第１の実施の形態にカバーを取り付けた状態を示す斜視図である。
【図６】上記第１の実施の形態のフォルダーファイルを折り畳んだ状態を示す断面図である。
【図７】従来のフォルダーファイルを示す斜視図である。
【図８】本発明の第２の実施の形態のフォルダーファイルを示す展開図である。
【図９】上記第２の実施の形態のフォルダーファイルを示す斜視図である。
【図１０】上記第２の実施の形態のフォルダーファイルを示す斜視図である。
【図１１】上記第２の実施の形態の使用状態を示す断面図である。
【図１２】上記実施の形態のフォルダーファイルを折り畳んだ状態を示す断面図である。
【符号の説明】
【００３８】
１，１１  フォルダーファイル、
２        本体、２Ａ  一方側、２Ｂ  他方側、
３        係止帯体、
４        係止孔、  
５        衝立部、
６        挿通孔、
７        カバー、  ７Ａ  一方側、７Ｂ  他方側、  
Ｐ        スリット
Ｒ        ルーズリーフ紙（ファイル用の穴が形成された用紙類やシート類）、
Ｒ１      ファイル用の穴、
Ｓ        隙間、
Ｔ，Ｔ１，Ｔ２，Ｔ３，Ｔ４  折り目
【図１】
2007152941.tif 000003
【図２】
2007152941.tif 000004
【図３】
2007152941.tif 000005
【図４】
2007152941.tif 000006
【図５】
2007152941.tif 000007
【図６】
2007152941.tif 000008
【図７】
2007152941.tif 000009
【図８】
2007152941.tif 000010
【図９】
2007152941.tif 000011
【図１０】
2007152941.tif 000012
【図１１】
2007152941.tif 000013
【図１２】
2007152941.tif 000014